【手続補正書】
【提出日】平成26年3月6日(2014.3.6)
【手続補正１】
【補正対象書類名】明細書
【補正対象項目名】００６７
【補正方法】変更
【補正の内容】
【００６７】
[0061]この時点で、種々の基材材料上にマイクロエレクトロニクス部品を組み立てるためのタッキング剤及びフラックス剤として機能する能力の両方を示す本発明によるポリマー組成物の幾つかの態様を本明細書において与えたことを認識すべきである。より具体的には、かかる組成物の幾つかの態様は、かかる部品の電気的接続を与えるハンダリフロープロセスの前及びその間にかかる部品を所望の位置に保持する。更に、かかるポリマー組成物に種々のポリマーの態様を含ませることができ、ここでは、かかるポリマーの幾つかの態様は、かかるポリマーの幾つかの態様及び／又はポリマー組成物の幾つかの態様のＭｗ又は組成を調節することによって、所望のＴｄ５０を有するように調整することができることを認識すべきである。更に、本発明によるポリマー組成物はＴＡＧ／ＦＬＡＧを含み、これは、その中のポリマーの分解温度を大きく低下させ、且つ残渣を含まないウエハ表面を与えることができ、更には予期しなかったことに、ギ酸の代わりか又はギ酸と組み合わせてフラックス剤として機能させることもできることを認識すべきである。更には、本発明によるポリマー組成物の幾つかの態様は、室温において６週間、６５℃において１週間の貯蔵後に実質的に変化しないＭｗを示す安定な組成物であることが示されたことを認識すべきである。更に、上記の熱分解実施例において示すように、本発明のポリマー組成物の幾つかの態様は、残渣を有さずに分解することがこれまで報告されている材料が相当な残渣を残留させることが示される比較熱分解実施例において見られるものとは対照的に、汚染物質又は残渣を実質的に残留させずに分解する。
本願は以下の発明を包含する。
［項目１］  ５，０００〜２００，０００の分子量（Ｍｗ）を有するポリカーボネートを含む犠牲ポリマー；
キャリア溶媒；及び
熱酸発生剤／フラックス剤（ＴＡＧ／ＦＬＡＧ）；
を含むポリマー組成物。
［項目２］  ＴＡＧ／ＦＬＡＧが、ジ（４−ｔｅｒｔ−ブチルフェニル）ヨードニウムトリフルオロフェニル）ボレート、ジメチルアニリニウムテトラキス（ペンタフルオロフェニル（ボレート）、ピリジニウムトリフルオロメタンスルホネート、又はこれらの混合物から選択される、項目１に記載のポリマー組成物。
［項目３］  ＴＡＧ／ＦＬＡＧが、更に、４−イソプロピル−４’−メチルジフェニルヨードニウムテトラキス（ペンタフルオロフェニル）ボレート、ジ（４−ｔｅｒｔ−ブチルフェニル）ヨードニウムトリフルオロメタンスルホネート、又はこれらの混合物から選択される、項目２に記載のポリマー組成物。
［項目４］  ＴＡＧ／ＦＬＡＧが、更に、（２−（４−メトキシナフタレン−１−イル）−２−オキソエチル）ジメチルスルホニウムテトラキス（ペンタフルオロフェニル）ボレート）、ｐ−メトキシベンジルジメチルアニリニウムトリフルオロメタンスルホネート、又はこれらの混合物から選択される、項目３に記載のポリマー組成物。
［項目５］  ギ酸を更に含む、項目１に記載のポリマー組成物。
［項目６］  犠牲ポリマーが、ポリ（プロピレンカーボネート）、或いは立体特異性ノルボルナンジオール及び／又はジメタノールモノマーから形成されるポリマーから選択される、項目１に記載のポリマー組成物。
［項目７］  立体特異性ノルボルナンジオール及び／又はジメタノールモノマーから形成される犠牲ポリマーが、ポリ（シス−エキソ−２，３−ポリノルボルナンジメチルカーボネート）である、項目６に記載のポリマー組成物。
［項目８］  犠牲ポリマーが、プロピレンカーボネート繰り返し単位、及びノルボルナンジオール又はノルボルナンジメタノール繰り返し単位を含む、項目６に記載のポリマー組成物。
［項目９］  ＴＡＧ／ＦＬＡＧが、存在するポリマーの全重量を基準として組成物の１．０〜１０．０ｐｐｈｒを構成する、項目１に記載のポリマー組成物。
［項目１０］  ＴＡＧ／ＦＬＡＧが、存在するポリマーの全重量を基準として組成物の２．５〜８．０ｐｐｈｒを構成する、項目１に記載のポリマー組成物。
［項目１１］  ＴＡＧ／ＦＬＡＧが、存在するポリマーの全重量を基準として組成物の３．９〜５．０ｐｐｈｒを構成する、項目１に記載のポリマー組成物。
［項目１２］  ギ酸が、ポリマー組成物の全重量を基準として組成物の０．５〜１０．０ｐｐｈｒを構成する、項目５に記載のポリマー組成物。
［項目１３］  キャリア溶媒が、アセトン、ＧＢＬ、アニソール、又はこれらの混合物から選択される、項目１に記載のポリマー組成物。
［項目１４］  キャリア溶媒が、更に、シクロヘキサノン、シクロペンタノン、Ｎ，Ｎ−ジメチルアセトアミド、Ｎ，Ｎ−ジメチルホルムアミド、又はこれらの混合物から選択される、項目１３に記載のポリマー組成物。
［項目１５］  ４０，０００〜１６０，０００の分子量（Ｍｗ）を有するポリカーボネートを含む犠牲ポリマー；
キャリア溶媒；及び
ジ（４−ｔｅｒｔ−ブチルフェニル）ヨードニウムトリフルオロフェニル）ボレート、ジメチルアニリニウムテトラキス（ペンタフルオロフェニル（ボレート）、ピリジニウムトリフルオロメタンスルホネート、又はこれらの混合物から選択され、ＴＡＧは存在するポリマーの全重量を基準として組成物の２．５〜８．０ｐｐｈｒを構成する熱酸発生剤／フラックス剤（ＴＡＧ／ＦＬＡＧ）；
を含み；
ポリマー組成物はフラックス活性を与える；ポリマー組成物。
［項目１６］  ＴＡＧが、存在するポリマーの全重量を基準として組成物の３．９〜５．０ｐｐｈｒを構成する、項目１５に記載のポリマー組成物。
［項目１７］  犠牲ポリマーが、ポリ（プロピレンカーボネート）、或いは立体特異性ノルボルナンジオール及び／又はジメタノールモノマーから形成されるポリマーから選択される、項目１５に記載のポリマー組成物。
［項目１８］  立体特異性ノルボルナンジオール及び／又はジメタノールモノマーから形成される犠牲ポリマーが、ポリ（トランス−エキソ−２，３−ポリノルボルナンジメチルカーボネート）である、項目１７に記載のポリマー組成物。
［項目１９］  犠牲ポリマーが、プロピレンカーボネート繰り返し単位、及びノルボルナンジオール又はノルボルナンジメタノール繰り返し単位を含む、項目１７に記載のポリマー組成物。
［項目２０］  ５，０００〜２００，０００の分子量（Ｍｗ）を有するポリカーボネート、ＴＡＧ／ＦＬＡＧ、及びキャリア溶媒を含む犠牲ポリマーの溶液を形成し；
かかる溶液を基材上にキャストし；そしてかかる基材を加熱してかかるキャスト溶媒の実質的に全部を蒸発させる；
ことを含む犠牲層の形成方法。
［項目２１］  キャリア溶媒が、アセトン、ＧＢＬ、アニソール、又はこれらの混合物から選択される、項目２０に記載のポリマー組成物。
【手続補正２】
【補正対象書類名】特許請求の範囲
【補正対象項目名】全文
【補正方法】変更
【補正の内容】
【特許請求の範囲】
【請求項１】
５，０００〜２００，０００の分子量（Ｍｗ）を有するポリカーボネートを含む犠牲ポリマー；
キャリア溶媒；
ギ酸；及び
熱酸発生剤／フラックス剤（ＴＡＧ／ＦＬＡＧ）；
を含む、ポリマー組成物。
【請求項２】
４０，０００〜１６０，０００の分子量（Ｍｗ）を有するポリカーボネートを含む犠牲ポリマー；
キャリア溶媒；及び
ジ（４−ｔｅｒｔ−ブチルフェニル）ヨードニウムトリフルオロメタンスルホネート（ＢＢＩ  ＯＴＦ）、ジメチルアニリニウムテトラキス（ペンタフルオロフェニルボレート）、ピリジニウムトリフルオロメタンスルホネート、又はこれらの混合物から選択され、ＴＡＧは存在するポリマーの全重量を基準として組成物の２．５〜８．０ｐｐｈｒを構成する熱酸発生剤／フラックス剤（ＴＡＧ／ＦＬＡＧ）；
を含み、
ポリマー組成物はフラックス活性を与える；ポリマー組成物。
【請求項３】
ＴＡＧが、存在するポリマーの全重量を基準として組成物の３．９〜５．０ｐｐｈｒを構成する、請求項２に記載のポリマー組成物。
【請求項４】
犠牲ポリマーが、ポリ（プロピレンカーボネート）、或いは立体特異性ノルボルナンジオール及び／又はジメタノールモノマーから形成されるポリマーから選択される、請求項２に記載のポリマー組成物。
【請求項５】
立体特異性ノルボルナンジオール及び／又はジメタノールモノマーから形成される犠牲ポリマーが、ポリ（トランス−エキソ−２，３−ポリノルボルナンジメチルカーボネート）である、請求項４に記載のポリマー組成物。
【請求項６】
犠牲ポリマーが、プロピレンカーボネート繰り返し単位、及びノルボルナンジオール又はノルボルナンジメタノール繰り返し単位を含む、請求項４に記載のポリマー組成物。
【請求項７】
熱酸発生剤／フラックス剤（ＴＡＧ／ＦＬＡＧ）が、
ジ（４−ｔｅｒｔ−ブチルフェニル）ヨードニウムトリフルオロフェニルボレート；
ジメチルアニリニウムテトラキス（ペンタフルオロフェニル）ボレート；
ピリジニウムトリフルオロメタンスルホネート；
４−イソプロピル−４’−メチルジフェニルヨードニウムテトラキス（ペンタフルオロフェニル）ボレート；
ジ（４−ｔｅｒｔ−ブチルフェニル）ヨードニウムトリフルオロメタンスルホネート；
（２−（４−メトキシナフタレン−１−イル）−２−オキソエチル）ジメチルスルホニウムテトラキス（ペンタフルオロフェニル）ボレート；
ｐ−メトキシベンジルジメチルアニリニウムトリフルオロメタンスルホネート；
又はこれらの混合物；
から選択される、請求項１に記載のポリマー組成物。
【請求項８】
ＴＡＧ／ＦＬＡＧが、ジ（４−ｔｅｒｔ−ブチルフェニル）ヨードニウムトリフルオロフェニルボレートである、請求項７に記載のポリマー組成物。
【請求項９】
ＴＡＧ／ＦＬＡＧが、ジメチルアニリニウムテトラキス（ペンタフルオロフェニル）ボレートである、請求項７に記載のポリマー組成物。
【請求項１０】
ＴＡＧ／ＦＬＡＧが、ピリジニウムトリフルオロメタンスルホネートである、請求項７に記載のポリマー組成物。
【請求項１１】
ＴＡＧ／ＦＬＡＧが、４−イソプロピル−４’−メチルジフェニルヨードニウムテトラキス（ペンタフルオロフェニル）ボレートである、請求項７に記載のポリマー組成物。
【請求項１２】
ＴＡＧ／ＦＬＡＧが、ジ（４−ｔｅｒｔ−ブチルフェニル）ヨードニウムトリフルオロメタンスルホネート、又はこれらの混合物である、請求項７に記載のポリマー組成物。
【請求項１３】
ＴＡＧ／ＦＬＡＧが、（２−（４−メトキシナフタレン−１−イル）−２−オキソエチル）ジメチルスルホニウムテトラキス（ペンタフルオロフェニル）ボレートである、請求項７に記載のポリマー組成物。
【請求項１４】
ＴＡＧ／ＦＬＡＧが、ｐ−メトキシベンジルジメチルアニリニウムトリフルオロメタンスルホネート、又はこれらの混合物である、請求項７に記載のポリマー組成物。
【請求項１５】
犠牲ポリマーが、ポリ（プロピレンカーボネート）、或いは立体特異性ノルボルナンジオール及び／又はジメタノールモノマーから形成されるポリマーから選択される、請求項７に記載のポリマー組成物。
【請求項１６】
立体特異性ノルボルナンジオール及び／又はジメタノールモノマーから形成される犠牲ポリマーが、ポリ（シス−エキソ−２，３−ポリノルボルナンジメチルカーボネート）である、請求項１５に記載のポリマー組成物。
【請求項１７】
犠牲ポリマーが、プロピレンカーボネート繰り返し単位、及びノルボルナンジオール又はノルボルナンジメタノール繰り返し単位を含む、請求項１５に記載のポリマー組成物。
【請求項１８】
ＴＡＧ／ＦＬＡＧが、存在するポリマーの全重量を基準として組成物の１．０〜１０．０ｐｐｈｒを構成する、請求項７に記載のポリマー組成物。
【請求項１９】
ＴＡＧ／ＦＬＡＧが、存在するポリマーの全重量を基準として組成物の２．５〜８．０ｐｐｈｒを構成する、請求項７に記載のポリマー組成物。
【請求項２０】
ＴＡＧ／ＦＬＡＧが、存在するポリマーの全重量を基準として組成物の３．９〜５．０ｐｐｈｒを構成する、請求項７に記載のポリマー組成物。
【請求項２１】
ギ酸が、ポリマー組成物の全重量を基準として組成物の０．５〜１０．０ｐｐｈｒを構成する、請求項７に記載のポリマー組成物。
【請求項２２】
キャリア溶媒が、アセトン、ＧＢＬ、アニソール、シクロヘキサノン、シクロペンタノン、Ｎ，Ｎ−ジメチルアセトアミド、Ｎ，Ｎ−ジメチルホルムアミド、又はこれらの混合物から選択される、請求項７に記載のポリマー組成物。
【請求項２３】
キャリア溶媒が、シクロヘキサノン、シクロペンタノン、Ｎ，Ｎ−ジメチルアセトアミド、Ｎ，Ｎ−ジメチルホルムアミド、又はこれらの混合物から選択される、請求項２２に記載のポリマー組成物。
【請求項２４】
キャリア溶媒がＧＢＬである、請求項２２に記載のポリマー組成物。
【請求項２５】
キャリア溶媒がアセトンである、請求項２２に記載のポリマー組成物。
【請求項２６】
キャリア溶媒がシクロヘキサノンである、請求項２２に記載のポリマー組成物。